(57)【要約】【課題】  専用の操作つまみ以外のドライバやプライヤ等の汎用工具によって回動プレートを回動することが不可能又は極めて困難となるようにして、補助ロック装置の防犯性を向上する。【解決手段】  第一ロック片３と第二ロック片４の相対間隔を変更するために、操作つまみ１６をケーシング２に形成した挿通孔１９に挿通し、その操作つまみ１６をケーシング２内の回動プレート１２に連結するようになっている引き戸の補助ロック装置であって、操作つまみ１２の挿入運動に連動して挿通孔１９を開放しかつ同操作つまみ１６が挿入されない通常時に当該挿通孔１９を自動的に閉塞する閉塞手段２４を設ける。【選択図】図２
2007291819.tif 000002
【特許請求の範囲】
【請求項１】
室外側の引き戸の横桟に室内から当接する第一ロック片と、前記引き戸が走行自在に嵌め込まれた戸枠に係合する第二ロック片と、これらのロック片がその間の相対間隔を変更できるように設けられているケーシングと、前記両ロック片の相対間隔を拡張又は縮小させるための操作機構とを備えており、この操作機構が、第一ロック片又は第二ロック片若しくはこれらの双方を前記ケーシングに対して相対移動させるべく前記ケーシングの内部に回動自在に設けられた回動プレートと、この回動プレートに着脱自在に連結可能な操作つまみとを有している引き戸の補助ロック装置において、
前記操作つまみを外部から挿脱可能な挿入孔が前記ケーシングに形成され、前記操作つまみの挿入運動に連動して前記挿通孔を開放しかつ同操作つまみが挿入されない通常時に当該挿通孔を自動的に閉塞する閉塞手段が設けられていることを特徴とする引き戸の補助ロック装置。
【請求項２】
前記閉塞手段は、前記挿通孔周囲の外表面とほぼ面一となる状態で当該挿通孔を閉鎖する蓋部材を備えている請求項１に記載の引き戸の補助ロック装置。
【請求項３】
前記閉塞手段は、前記回転プレートの回転軸線に沿って移動自在でかつ前記挿入孔に対して抜け止めされた状態で前記ケーシング内に収納された蓋部材と、この蓋部材を常に前記ケーシングの外部側に付勢する付勢部材とから構成されている請求項１又は２に記載の引き戸の補助ロック装置。
【発明の詳細な説明】
【技術分野】
【０００１】  本発明は、本来の錠装置とは別に室内外の両引き戸を補助的にロックするための引き戸の補助ロック装置に関する。
【背景技術】
【０００２】  例えば、建物の窓部や玄関を構成するアルミサッシは、戸枠に設けた内外二列のレールに室内外の引き戸を走行自在に設けることによって構成されており、これら室内外の引き戸の施錠は、一般に、両引き戸を閉鎖したときに戸枠の中央で重なり合う縦桟同士をいわゆるクレセント錠で固定することによって行われる。【０００３】  しかし、上記クレセント錠は、引き戸のガラスの一部を割って手を入れることで簡単に解錠される恐れがあるため、引き戸の防犯性をより向上させるべく、本来の錠装置とは別に補助ロック装置を設けることがある。
そして、かかる補助ロック装置として、室外側の引き戸の横桟に室内から当接する第一ロック片と、その引き戸が走行自在に嵌め込まれた戸枠に係合する第二ロック片と、これらのロック片がその間の相対間隔を変更できるように設けられているケーシングと、両ロック片の相対間隔を拡張又は縮小するための操作機構とを備えたものがある（例えば、特許文献１参照）。【０００４】  上記操作機構は、第二ロック片をケーシングに対して相対移動させるべくケーシングに回動自在に設けられた回動プレートと、この回動プレートの表面側に着脱自在に連結可能な操作つまみとから構成されている。
従って、かかる従来の補助ロック装置によれば、両ロック片を室外側の引き戸と戸枠の間に嵌め込んだ状態でケーシングを窓枠にセットしたあと、第二ロック片を第一ロック片から離れる方向に操作機構を操作すると、室外側の引き戸が第一ロック片に押圧されて開かないようになるとともに、室内側の引き戸はケーシングそのものが邪魔になって開かないようになり、室内外の両引き戸をロックすることができる。
【特許文献１】  実公平７−１２５９６号公報
【発明の開示】
【発明が解決しようとする課題】
【０００５】  上記従来の補助ロック装置では、回動プレートの表面側に、その直径方向に延びるほぼ一文字状の係合凹部が形成され、この係合凹部とほぼ同じ横断面形状に形成された操作つまみのボス部を当該係合凹部に挿脱することにより、操作つまみを回動プレートに着脱自在に連結するようになっている。【０００６】  しかるに、上記従来の補助ロック装置における操作つまみの連結構造では、当該操作つまみが外された状態においては、回動プレートの表面側に形成されたほぼ一文字状の係合凹部が開放状態のまま放置されるので、先端部が細いドライバやプライヤの先端部をその係合凹部に差し込むことが可能になっている。このため、専用の回動部材として操作つまみを使用しなくても、それらのドライバやプライヤを用いて回動プレートを回動させて補助ロック装置によるロックが解除される恐れがある。【０００７】  そこで、本発明の課題は、専用の操作つまみ以外のドライバやプライヤ等の汎用工具によって回動プレートを回動することが不可能又は極めて困難となるようにして、補助ロック装置の防犯性を向上する点にある。
【課題を解決するための手段】
【０００８】  本発明は、上記課題を解決するために次の解決手段を採用した。
すなわち、本発明は、上記引き戸の補助ロック装置において、操作つまみを外部から挿脱可能な挿入孔がケーシングに形成され、前記操作つまみの挿入運動に連動して前記挿通孔を開放しかつ同操作つまみが挿入されない通常時に当該挿通孔を自動的に閉塞する閉塞手段が設けられていることを特徴とすを特徴とする。【０００９】  上記補助ロック装置によれば、閉塞手段が、操作つまみの挿入運動に連動して挿通孔を開放するが、同操作つまみが挿入されない通常時には当該挿通孔を自動的に閉塞するようになっているので、ドライバやプライヤ等の先端部が細い工具をケーシングの外部から挿入孔に挿入するのが非常に困難である。このため、そのような汎用工具を用いて回動プレートを回動し、ロック状態にある補助ロック装置を解錠するのが不可能又は極めて困難となる。【００１０】  上記の本発明において、前記閉塞手段は、前記挿通孔周囲の外表面とほぼ面一となる状態で当該挿通孔を閉塞する蓋部材を備えていることが好ましい。
この場合、上記蓋部材がケーシングの外表面とほぼ面一となる状態で挿通孔を閉塞するので、閉塞時には挿通孔の存在が外部から認識され難くなる。このため、室内への侵入を図る部外者が汎用工具を用いての解錠作業そのものを諦める蓋然性が高くなり、この点で補助ロック装置の防犯機能をよりいっそう向上させることができる。【００１１】  また、前記閉塞手段は、具体的には、前記回転プレートの軸線方向に沿って移動自在でかつ前記挿入孔に対して抜け止めされた状態で前記ケーシング内に収納された蓋部材と、この蓋部材を常に前記ケーシングの外部側に付勢する付勢部材とから構成することができる。
かかる蓋部材と付勢部材からなる閉塞手段の場合、構成部品が二つで済むため、材料コストが比較的安価であるという利点がある。
【発明の効果】
【００１２】  以上の通り、本発明によれば、専用の操作つまみ以外のドライバやプライヤ等の汎用工具によって回動プレートを回動することが不可能又は極めて困難となるので、補助ロック装置の防犯性を向上することができる。
【発明を実施するための最良の形態】
【００１３】  以下、図面を参照しつつ、本発明の実施の形態を説明する。
図１〜図３は本発明の一実施形態に係る補助ロック装置１を示している。
図１に示すように、本実施形態の補助ロック装置１は、鋼材等の金属材料を平面視ほぼ四角形に形成してなるケーシング２と、このケーシング２の先端部に突設された第一ロック片３と、この第一ロック片３に対して接近離反自在となるようにケーシング２に設けられた第二ロック片４と、この第二ロック片４を移動させるための操作機構５とを備えている。【００１４】  第一及び第二ロック片３，４は、いずれもケーシング２の幅寸法にほぼ相当する長さを有する板材よりなり、ケーシング２の裏面側において互いに平行となるように同裏面側に突出して配置されている。
本実施形態では、上記第一及び第二ロック片３，４のうち、第一ロック片３の当接面側（図２の右側：室内側）に、ゴムパッド等よりなる弾性板材７が貼り付けられ、第二ロック片４の当接面側（図２の左側：室外側）にも、ゴムパッド等よりなる弾性板材８が固定されている。【００１５】  図２に示すように、ケーシング２は、その裏面側（図２の下側）に突出する前記第一ロック片３が長手方向一端に一体形成された裏面側が開放されたケース本体１０と、このケース本体１０の裏面側開放部を施蓋する蓋プレート１１とからなる。
ケース本体１０の表面側（図２の上側）には、円錐台形状を呈する中空の収納ボス部９が形成され、この収納ボス部９内に、円板状の回動プレート１２が回動自在に収納されている。【００１６】  ケーシング２の内部には、上記回動プレート１２の回動に伴ってケース本体１０の長手方向（図２の左右方向）に移動するスライドプレート１３が設けられている。このスライドプレート１３の裏面側に第二ロック片４が突設され、この第二ロック片４は、前記蓋部材１１の中央部に形成されたガイド孔１４を貫通してケーシング２の裏面側に突出している。
なお、ケース本体１０の表面には収納ボス部９と一体に繋がり、かつ、第一ロック片３側に向かうに従って高さが低くなる先細り状の補強リブ部１５が形成されている。【００１７】  図１及び図２に示すように、回動プレート１２の表面中央部には操作つまみ１６との連結部１７が設けられており、この連結部１７は、回動プレート１２の中心部から一体に突設された中空でかつ外周断面がほぼ星形状の係合突起よりなる。
また、ケース本体１０に形成した収納ボス部９の中央部には、操作つまみ１６を外部から挿脱可能な円形の挿通孔１９が形成されており、回動プレート１２の連結部１７は、その挿通孔１９と同軸状となるように配置されている。この回動プレート１２の連結部１７は、ほぼ平坦な上端面１７Ａを備えており、この上端面１７Ａは、ケーシング２の外表面を構成する収納ボス部９の上端面９Ａとほぼ面一となっている。【００１８】  図１及び図２に示すように、操作つまみ１６は、ユーザーの手による掴み代となる半円板状の掴み部２０と、この掴み部２０に対して同心状となるように一体に連結された円筒状の回動ボス部２１とから構成されている。この操作つまみ１６の回動ボス部２１は、前記挿通孔１９と直径がほぼ同じ外周面を備え、回動プレート１２の連結部１７がちょうど嵌り込むほぼ星形状の内周断面になっている係合凹部２２を内周側に備えている。【００１９】  従って、操作つまみ１６の回動ボス部２１の先端部をケーシング２の挿通孔１９に差し込むと、回動プレート１２の連結部１７が回動ボス部２１の係合凹部２２にスプライン嵌合し、操作つまみ１６が回動プレート１２に連結される。このため、この状態で操作つまみ１６を回動することにより、回動プレート１２をケーシング２に対して相対回動することができる。
本実施形態の補助ロック装置１では、挿通孔１９に対する操作つまみ１６の挿入運動に連動して挿通孔１９を開放し、かつ、操作つまみ１６が挿入されない通常時には当該挿通孔１９を自動的に閉鎖する閉塞手段２４が設けられている。【００２０】  本実施形態の閉塞手段２４は、ケーシング２の収納ボス部９内に設けられた蓋部材２５と、この蓋部材２５を常にケーシング２の外部側（図２の上側）に付勢する付勢部材２６とから構成されている。
図２に示すように、蓋部材２５は、挿入孔１９に対して抜け止めされた状態でケーシング２の収納ボス部９内に収納されたリング部材よりなり、回動プレート１２の回動軸線に沿って移動自在となるように同プレート１２の連結部１７に外嵌されている。従って、蓋部材２５の内周面は、連結部１７の外周面とほぼ同じ断面星形に形成されている。【００２１】  蓋部材２５は、挿通孔１９の内周面と連結部１７の外周面との間の隙間を埋める閉塞部２７と、この閉塞部２７よりも大径に形成されたばね受け部２８とを一体に備えている。この蓋部材２５の閉塞部２７は、ほぼ平坦な上端面２７Ａを有しており、挿通孔１９の閉塞状態においては、収納ボス部９の上端面９Ａ、連結部１７の上端面１７Ａ及び当該閉塞部２７の上端面２７Ａの三面がほぼ面一となる。
本実施形態の付勢部材２６は、圧縮コイルばねよりなり、その下端が回動プレート１２の上面に当接し、かつ、その上端が蓋部材２５のばね受け部２８に当接した状態で、ケース本体１０の収納ボス部９に収納されている。【００２２】  このため、蓋部材２５は付勢部材２６によってケーシング２の外部側（図２の上側）に常に付勢されており、このさい、蓋部材２５の閉塞部２７が連結部１７周囲の隙間に入り込むことによって挿通孔１９が閉塞される。
他方、操作つまみ１６の回動ボス部２１を挿通孔１９に挿通すると、付勢部材２６が弾性変形して蓋部材２５がケーシング２の内部側（図２の下側）に移動するので、操作つまみ１６の回動ボス部２１を回動プレート１２の連結部１７に連結することができる。【００２３】  図２に示すように、回動プレート１２の裏面には、同プレート１２の回動中心からの距離が漸次変化する渦巻き状に形成された螺旋リブ３０が一体に突設され、スライドプレート１３の表面には、その螺旋リブ３０に係合する複数の摺動片３１がケーシング２の長手方向に一定間隔おきに形成されている。
このため、回動プレート１２を回動操作すると螺旋リブ３０が各摺動片３１に順送りに噛み合い、これによってスライドプレート１３とその裏面側の第二ロック片４がケーシング２の長手方向に移動し、第二ロック片４の第一ロック片３に対する相対間隔が拡張又は縮小されるようになっている。【００２４】  しかして、本実施形態では、前記操作つまみ１５、回動プレート１２及びこれと螺旋カムを介して連結されたスライドプレート１３とから、両ロック片３，４の相対間隔を拡張又は縮小するための前記操作機構５が構成されている。
次に、図３を参照しつつ、上記構成に係る補助ロック装置１の使用方法及び作用を説明する。
本実施形態の補助ロック装置１を使用するには、まず、操作つまみ１６を回動プレート１２の連結部１７に連結させて、第二ロック片４を第一ロック片３に対してできるだけ近づける方向に回動プレート１２を回動し、両ロック片３，４を室外側の引き戸３３と戸枠３４の室内段差３５の間に嵌め込んだ状態でケーシング２を窓枠の下部にセットする。【００２５】  その後、第二ロック片４が第一ロック片３から離れる方向に操作つまみ１６を回動すると、図３に示すように、第二ロック片４が弾性板材８を介して室内段差３５を押圧すると同時に、第一ロック片３が弾性板材７を介して室外側の引き戸３３の横桟３６を押圧し、これによって室外側の引き戸３３が開かないようになるとともに、室内側の引き戸３７はケーシング２そのものが邪魔になって開かないようになり、室内外の両引き戸３７，３３が同時にロックされることになる。
なお、上記のようにして補助ロック装置１をロックしたあとは、操作つまみ１６を回動プレート１２から取り外し、そのつまみ１５を侵入者の手が届かない場所に仕舞っておけばよい。【００２６】  このさい、本実施形態の補助ロック装置１によれば、前記閉塞手段２４が、操作つまみ１６の挿入運動に連動して挿通孔１９を開放するが、同操作つまみ１６が挿入されない通常時には当該挿通孔１９を自動的に閉塞するので、ドライバやプライヤ等の先端部が細い工具をケーシング２の外部から挿入孔１９に挿入するのが非常に困難である。このため、そのような汎用工具を用いて回動プレート１６を回動することにより、ロック状態にある補助ロック装置１を解錠するのが不可能又は極めて困難となり、補助ロック装置１の防犯性を向上することができる。
また、蓋部材２５が常に挿通孔１９を閉塞しているので、ケーシング２内にゴミや埃が入ってスライドプレート１３を動かせ難くなるのを防止できるという利点もある。【００２７】  また、本実施形態の補助ロック装置１によれば、閉塞手段２４の構成部材である蓋部材２５が挿通孔１９周囲の外表面（具体的には、収納ボス部９の上端面９Ａと連結部１７の上端面１７Ａ）とほぼ面一となる状態でその挿通孔１９を閉塞するので、閉塞時には挿通孔１９の存在が外部から認識され難くなる。
このため、室内への侵入を図る部外者が汎用工具を用いての解錠作業そのものを諦める蓋然性が高くなり、この点で、補助ロック装置の防犯機能をよりいっそう向上することができる。【００２８】  図４は、本発明の他の実施形態に係る補助ロック装置１の使用状態を示している。
本実施形態が図１〜図３に示す実施形態と異なる点は、戸枠３４に係合する第二ロック片４がケーシング２の前端面から出退自在となるように同ケーシング２に挿通されている点にある。
このため、本実施形態では、第一及び第二ロック片３，４を室外側の引き戸３３の横桟３６の上面と戸枠３４の上底面との間に嵌め込み、この状態で第二ロック片４を上方へ突出させることにより、ケーシング２を縦向きにしてロック状態にセットできるようになっている。【００２９】  なお、本発明は上記実施形態に限定されるものではない。
例えば、第一ロック片３及び第二ロック片４はその間の相対間隔を変更できるようにケーシング２に設けられておれば足り、前者をケーシング２に対して移動させかつ後者をケーシング２に固定してもよいし、両者ともケーシング２に対して移動させてもよい。
また、図３に示す使用例では、補助ロック装置１を窓枠の下部にセットした場合を例示しているが、同装置１を窓枠の上部にもセットすることができる。
【図面の簡単な説明】
【００３０】
【図１】  本発明の実施形態に係る補助ロック装置の斜視図である。
【図２】  同補助ロック装置の側面断面図である。
【図３】  同補助ロック装置の使用状態を示す窓枠下部の縦断面図である。
【図４】  本発明の他の実施形態に係る補助ロック装置の使用状態を示す窓枠下部の縦断面図である。
【符号の説明】
【００３１】  １      補助ロック装置
２      ケーシング
３      第一ロック片
４      第二ロック片
５      操作機構
１２      回動プレート
１６      操作つまみ
１９      挿通孔
２４      閉塞手段
２５      蓋部材
２６      付勢手段
３３      引き戸（室外側）
３４      戸枠
３６      横桟
３７      引き戸（室内側）
【図１】
2007291819.tif 000003
【図２】
2007291819.tif 000004
【図３】
2007291819.tif 000005
【図４】
2007291819.tif 000006